(57)【特許請求の範囲】
【請求項１】
室内機の吹出口に左右風向装置を備えた空気調和機において、
前記吹出口の奥部に左右方向に一列に設けられた複数の第１軸受部に基端部が軸支され左右に揺動可能な複数の第１風向板と、
前記複数の第１風向板の夫々の先端部に左右に揺動可能に支持された複数の第２風向板と、
前記複数の第１風向板が互いに平行に左右に揺動するように該第１風向板同士を連結する第１連結アームと、
前記複数の第２風向板が互いに平行に左右に揺動するように該第２風向板同士を連結する第２連結アームと、
前記第１軸受部の風下側に離間させて設けられた第２軸受部に基端部が軸支され先端部が前記第２風向板に軸支され該第２風向板とともに左右に揺動して該第２風向板を前記第１風向板に対して屈曲させる少なくとも一つの揺動アームと、
前記室内機に設置され駆動リンクが前記揺動アームに連結され前記複数の第１、第２風向板を互いに屈曲させながら左右に揺動させる駆動部と、
を有する左右風向装置を備えたことを特徴とする空気調和機。
【請求項２】
前記第１風向板を前記揺動アームに係止させたことを特徴とする請求項１に記載の空気調和機。
【発明の詳細な説明】
【技術分野】
【０００１】
本発明は、室内機の吹出口に左右風向装置を備えた空気調和機に関するものである。
【背景技術】
【０００２】
従来、室内機の吹出口に吹出風の方向を上下方向に広げる上下風向板と吹出風の方向を左右方向に広げる複数の左右風向板を設け、空気調和機の運転モードに応じて自動的に吹出風の方向を切り換えてなる空気調和機の風向調節装置において、上記左右風向板の後方に離間させて副左右風向板を設け、同副左右風向板を連結アームにより上記左右風向板に連結し、同左右風向板の回動に追従して左右方向に連動するようにしたものがある（例えば、特許文献１参照）。
【０００３】
また、従来、室内機本体と、この本体内に形成された風路の下側に設けられ、吹き出し口を有する吹き出しノズルと、この吹き出しノズルに設けられ、前記風路を通過した吹き出し気流を左右に案内して前記吹き出し口から吹き出させ、前記気流の流れ方向に沿って前後に分割されて互いに離間し、それぞれが異なった角度に１つの駆動源により連結機構にて駆動される複数枚の左右風向板とを備え、前記左右風向板のそれぞれが回転軸をもち連動アームによって前後が連結され、前記連動アームが前記左右風向板のいずれかに固定されている空気調和機の風向調節装置がある（例えば、特許文献２の第７頁、図１６〜１８参照）。
【０００４】
また、従来、室内機本体と、この本体内に形成された風路の下側に設けられ、吹き出し口を有する吹き出しノズルと、この吹き出しノズルに設けられ、前記風路を通過した吹き出し気流を左右に案内して前記吹き出し口から吹き出させ、前記気流の流れ方向に沿って前後に分割され、それぞれが異なった角度に１つの駆動源により連結機構にて駆動される複数枚の左右風向板とを備え、前記連結機構が、前記左右風向板の夫々の移動側端部に連結して、前記左右風向板を動かす空気調和機の風向調節装置がある（例えば、特許文献２参照）。
【０００５】
【特許文献１】特開平０５−１１８６３７号公報
【特許文献２】特許第３７９２０３２号公報
【発明の開示】
【発明が解決しようとする課題】
【０００６】
しかしながら、特許文献１及び特許文献２の第７頁に記載された左右風向板と副左右風向板とは、互いに離間しているので、両者の間の隙間から風が隣の風路に侵入し隣の風路の風と干渉して風量損失が大きくなる、という問題があった。また、特許文献２の第７頁以外に記載されたものは、左右風向板同士の連結機構及び駆動機構が複雑で部品点数が多く、耐久性、信頼性に欠ける、という問題があった。
【０００７】
本発明は、上記に鑑みてなされたものであって、左右風向板同士の連結機構及び駆動機構が簡素で部品点数が少なく、耐久性、信頼性が高い左右風向装置を備えた空気調和機を得ることを目的とする。
【課題を解決するための手段】
【０００８】
上述した課題を解決し、目的を達成するために、本発明は、室内機の吹出口に左右風向装置を備えた空気調和機において、前記吹出口の奥部に左右方向に一列に設けられた複数の第１軸受部に基端部が軸支され左右に揺動可能な複数の第１風向板と、前記複数の第１風向板の夫々の先端部に左右に揺動可能に支持された複数の第２風向板と、前記複数の第１風向板が互いに平行に左右に揺動するように該第１風向板同士を連結する第１連結アームと、前記複数の第２風向板が互いに平行に左右に揺動するように該第２風向板同士を連結する第２連結アームと、前記第１軸受部の風下側に離間させて設けられた第２軸受部に基端部が軸支され先端部が前記第２風向板に軸支され該第２風向板とともに左右に揺動して該第２風向板を前記第１風向板に対して屈曲させる少なくとも一つの揺動アームと、前記室内機に設置され駆動リンクが前記揺動アームに連結され前記複数の第１、第２風向板を互いに屈曲させながら左右に揺動させる駆動部と、を有する左右風向装置を備えたことを特徴とする。
【発明の効果】
【０００９】
本発明によれば、左右風向板同士の連結機構及び駆動機構が簡素で部品点数が少なく、耐久性、信頼性が高い左右風向装置を備えた空気調和機が得られる、という効果を奏する。
【発明を実施するための最良の形態】
【００１０】
以下に、本発明にかかる空気調和機の実施例を図面に基づいて詳細に説明する。なお、この実施例によりこの発明が限定されるものではない。
【実施例】
【００１１】
図１は、本発明にかかる左右風向装置を搭載した空気調和機の室内機の外観を示す下方斜視図であり、図２は、室内機の吹出口に設置された本発明にかかる左右風向装置の下方斜視図であり、図３は、左右風向装置の要部拡大図であり、図４は、左右風向装置の平面図であり、図５は、左右風向板を左方へ揺動させた状態を示す平面図であり、図６は、左右風向板をさらに左方へ揺動させた状態を示す平面図である。
【００１２】
図１に示すように、実施例の空気調和機の室内機１００は、外形が横長の直方体状に形成され、筺体１０の上部に設置された上面パネル１２に形成された吸込口と、筺体１０の下部に設けられた吹出口１４と、吸込口と吹出口１４との間の筺体１０に形成された空気通路とを備えている。
【００１３】
空気通路には、吸込口側から順に、除塵用のフィルタ、熱交換器及び送風ファンが配置されている。送風ファンを回転駆動して、吸込口から空気通路内へ室内の空気を吸込み、フィルタで除塵し、熱交換器で冷却又は加熱し、吹出口１４から室内へ吹き出す。吹出口１４の最前部には、上下風向装置２０が設置されている。
【００１４】
図２〜図６に示すように、上下風向装置２０の奥側の吹出口１４には、本発明の実施例の左右風向装置３０が設置されている。左右風向装置３０は、複数の第１風向板３１、３１と、複数の第２風向板３２、３２と、第１連結アーム３３と、第２連結アーム３４と、揺動アーム３５と、駆動部４０とを備えている。
【００１５】
吹出口１４の奥部には、左右方向に一列に所定の間隔で複数の第１軸受部３１ｂ、３１ｂが設けられている。複数の第１風向板３１、３１は、その基端部が第１軸受部３１ｂ、３１ｂに左右に揺動可能に軸支されている。また、複数の第２風向板３２、３２が、複数の第１風向板３１、３１の夫々の先端部に、揺動軸３１ａ、３１ａを介して、左右に揺動可能に軸支されている。第１風向板３１と第２風向板３２との間の隙間は、最小限の隙間となるようにヒンジ部が形成されている。
【００１６】
複数の第１風向板（軸間距離Ｖ：図４参照）３１、３１が互いに平行になって左右に揺動するように、第１風向板３１、３１同士を、揺動軸３１ａ、３１ａを介して、第１連結アーム３３で連結している。また、複数の第２風向板（軸間距離Ｗ）３２、３２が互いに平行になって左右に揺動するように、第２風向板３２、３２同士を、第２風向板３２、３２の前方上部に設けられた上軸部３２ａ、３２ａを介して、第２連結アーム３４で連結している。
【００１７】
右端の第１軸受部３１ｂの風下側に離間させて第２軸受部３５ｂが設けられている（第１、第２軸受部間距離Ｕ）。揺動アーム３５は、その基端部が第２軸受部３５ｂに左右に揺動可能に軸支され、先端部が第２風向板３２の前方下部に設けられた下軸部３５ａに軸支されている（揺動アームの軸間距離Ｓ）。
【００１８】
第１軸受部３１ｂから第２風向板３２の下軸受部３５ａまでの距離Ｔは、揺動アーム３５が正面を向いているとき、最大となり、Ｔ＝第１風向板３１の軸間距離Ｖ＋第２風向板３２の軸間距離Ｗとなる。図５に示すように、揺動アーム３５が、第２軸受部３５ｂを中心として左方（右方）に揺動すると、揺動アーム３５に引かれて第２風向板３２及び第１風向板３１も左方（右方）に揺動するとともに、揺動角度に応じて、Ｔ＜Ｖ＋Ｗとなるので、第２風向板３２は、第１風向板３１に対して、揺動角度に応じて左方（右方）へ徐々に屈曲する。
【００１９】
揺動アーム３５の基端部寄りの部位には、係止孔３５ｃが設けられ、係止孔３５ｃには、第１風向板３１の下部に設けられた係止突起が係合している。この係合により、第１風向板３１が、先走って左方（右方）へ揺動し、第１風向板３１と第２風向板３２とが逆折れするのを阻止し、第２風向板３２を必ず揺動方向に徐々に屈曲させることができる。
【００２０】
揺動アーム３５の係止孔３５ｃを設ける位置は、図６に示すように、揺動アーム３５を最大揺動位置まで揺動させたときに、第１風向板３１が揺動アーム３５の幅の略中央に来るような位置にする。このような位置にすれば、揺動アーム３５を左右に揺動させたとき、係止突起の幅方向の移動が少なく、係止孔３５ｃの孔径を小さくすることができる。
【００２１】
室内機１００の右側には、駆動部４０が設置されている。駆動部４０は、室内機１００の制御ボックス１１０内に設置された図示しないモータと、モータの回転軸に取付けられた図示しない揺動クランクと、揺動クランクに連結された繋ぎリンク４２（図２参照）と、繋ぎリンク４２と揺動アーム３５の係止孔３５ｃより基端部寄りの部位とを連結する駆動リンク４１と、を備えている。
【００２２】
モータを駆動して揺動クランクを左右に揺動させると、繋ぎリンク４２及び駆動リンク４１を介して揺動アーム３５が左右に揺動し、第１、第２連結アーム３３、３４により互いに連結された複数の第１、第２風向板３１、３２を互いに屈曲させながら左右に揺動させる。
【００２３】
なお、第１風向板３１、３１同士を、揺動軸３１ａ、３１ａを介して、第１連結アーム３３で連結するようにしたが、第１風向板３１に、別途、上軸部を設け、上軸部を介して第１連結アーム３３で連結するようにしてもよい。また、第１、第２連結アーム３３、３４を、第１、第２風向板３１、３２の上側に連結し、揺動アーム３５を第２風向板３２の下側に連結するようにしたが、第１、第２連結アーム３３、３４を、第１、第２風向板３１、３２の下側に連結し、揺動アーム３５を第２風向板３２の上側に連結するようにしてもよい。また、駆動部４０は、揺動クランク方式としたが、ピニオン＆ラック方式としてもよい。
【００２４】
以上説明したように、実施例の左右風向装置３０は、複数の第１軸受部３１ｂ、３１ｂに基端部が軸支され左右に揺動可能な複数の第１風向板３１と、複数の第１風向板の夫々の先端部に軸支され左右に揺動可能な複数の第２風向板３２と、複数の第１風向板３１、３１同士を連結する第１連結アームと、複数の第２風向板３２、３２同士を連結する第２連結アームと、第１軸受部３１ｂの前側に離間させて設けられた第２軸受部３５ｂに基端部が軸支され先端部が第２風向板３２に軸支され第２風向板３２とともに左右に揺動して第２風向板３２を第１風向板３１に対して屈曲させる少なくとも一つの揺動アーム３５と、駆動リンク４１が揺動アーム３５に連結され複数の第１、第２風向板３１、３２を互いに屈曲させながら左右に揺動させる駆動部４０と、を備えるので、左右風向板３１、３１、３２、３２同士の連結機構及び駆動機構が簡素で部品点数が少なく、耐久性、信頼性が高い。
【産業上の利用可能性】
【００２５】
以上のように、本発明にかかる左右風向装置を備えた空気調和機は、簡素で部品点数が少なく、耐久性、信頼性が高く有用である。
【図面の簡単な説明】
【００２６】
【図１】本発明にかかる左右風向装置を搭載した空気調和機の室内機の外観を示す下方斜視図である。
【図２】室内機の吹出口に設置された本発明にかかる左右風向装置の下方斜視図である。
【図３】左右風向装置の要部拡大下方斜視図である。
【図４】左右風向装置の平面図である。
【図５】左右風向板を左方へ揺動させた状態を示す平面図である。
【図６】左右風向板をさらに左方へ揺動させた状態を示す平面図である。
【符号の説明】
【００２７】
１０  筺体
１２  上面パネル
１４  吹出口
２０  上下風向装置
３０  左右風向装置
３１  第１風向板
３１ａ  揺動軸
３１ｂ  第１軸受部
３２  第２風向板
３２ａ  上軸部
３３  第１連結アーム
３４  第２連結アーム
３５  揺動アーム
３５ａ  下軸部
３５ｂ  第２軸受部
３５ｃ  係止孔
４０  駆動装置
４１  駆動アーム
４２  繋ぎアーム
１００  室内機
１１０  制御ボックス
【図１】
0004798152.tif 000002
【図２】
0004798152.tif 000003
【図３】
0004798152.tif 000004
【図４】
0004798152.tif 000005
【図５】
0004798152.tif 000006
【図６】
0004798152.tif 000007